(57)【特許請求の範囲】
【請求項１】
歩行動作に関連して歩行検知信号を発生する歩行検知手段と、前記歩行検知手段からの歩行検知信号に基づいて歩数を計数する計数手段と、前記計数手段によって計数された累計歩数を表示する表示手段とからなる歩数計を有する歩数計付きカメラであって、
カメラ操作に関連するカメラ操作部材と、
前記カメラ操作部材が操作された時に、電源の供給を制御することによりカメラとして機能する第１のモードに切り替え、該第１のモード中にカメラ操作部材が所定時間操作されない時及び／又は前記歩行検知手段からの歩行検知信号に基づいて歩行状態が判別された時に、電源の供給を制御することにより前記歩数計のみが動作可能な第２のモードに切り替えるモード切替手段を備えたことを特徴とする歩数計付きカメラ。
【請求項２】
前記計数手段によって計数された累計歩数をカメラの記録媒体に記録する記録手段を更に備えたことを特徴とする請求項１記載の歩数計付きカメラ。
【請求項３】
前記記録手段は、撮影時に撮影画像とともに前記計数手段によって計数された累計歩数を記録媒体に記録することを特徴とする請求項２記載の歩数計付きカメラ。
【請求項４】
前記記録手段は、少なくとも撮影時の時間を含む時間と前記累計歩数とをリンクして前記記録媒体に記録することを特徴とする請求項２又は３記載の歩数計付きカメラ。
【請求項５】
前記計数手段によって計数された累計歩数に基づいてグラフを作成するグラフ作成手段を更に備え、
前記表示手段は、前記グラフ作成手段によって作成されたグラフを表示することを特徴とする請求項１乃至４のいずれかに記載の歩数計付きカメラ。
【請求項６】
前記歩行検知手段とカメラの縦横検知手段とを共用することを特徴とする請求項１乃至５のいずれかに記載の歩数計付きカメラ。
【請求項７】
前記歩行検知手段とカメラの手振れ検知手段とを共用することを特徴とする請求項１乃至５のいずれかに記載の歩数計付きカメラ。
【請求項８】
前記累計歩数を表示する表示手段とカメラの状態を表示する表示手段とを共用することを特徴とする請求項１乃至７のいずれかに記載の歩数計付きカメラ。
【請求項９】
前記累計歩数を表示する表示手段とカメラの状態を表示する表示手段とを共用し、前記モード切替手段によって切り替えられるモードに応じて前記表示手段における表示内容を切り替えることを特徴とする請求項１乃至８のいずれかに記載の歩数計付きカメラ。
【請求項１０】
前記記録媒体はメモリカード又は写真フイルムである請求項１乃至９のいずれかに記載の歩数計付きカメラ。
【発明の詳細な説明】
【０００１】
【発明の属する技術分野】
本発明は歩数計機能を内蔵した電子カメラ及び銀塩カメラ等の歩数計付きカメラに関する。
【０００２】
【従来の技術】
一般に、歩数計は、使用者が歩いた歩数をカウントしてその累計歩数を表示器に表示するものであるが、近年、ポケットベルに歩数計を内蔵したポケットベル歩数計が提案されている（特開平７−２５０３６３号公報、特開平８−５１６５４号公報）。このポケットベル歩数計は、ポケットベルの表示器と歩数計の表示器とを共用し、また、通常は表示器に累計歩数を表示し、ポケットベルの呼び出し時には呼出元を表示する表示切替え等を行っている。
【０００３】
【発明が解決しようとする課題】
しかしながら、従来、歩数計を携帯機器であるカメラに内蔵したものはなかった。
本発明の目的は、歩数計機能をカメラに内蔵し、両者の機能を結び付けて累計歩数等の歩数計データを記録することができる歩数計付きカメラを提供することにある。
【０００４】
本発明の他の目的は、歩数計機能をカメラに内蔵し、両者に共通するセンサや表示器等を共用することができる歩数計付きカメラを提供することにある。
本発明の更に他の目的は、歩数計機能をカメラに内蔵し、歩数計としての機能とカメラとしての機能の切替えを良好に行うことができるとともに、消費電力の低減を図ることができる歩数計付きカメラを提供することを目的とする。
【０００５】
【課題を解決するための手段】
上記目的を達成するために、本願請求項１に係る歩数計付きカメラは、歩行動作に関連して歩行検知信号を発生する歩行検知手段と、前記歩行検知手段からの歩行検知信号に基づいて歩数を計数する計数手段と、前記計数手段によって計数された累計歩数を表示する表示手段とからなる歩数計を有する歩数計付きカメラであって、カメラ操作に関連するカメラ操作部材と、前記カメラ操作部材が操作された時に、電源の供給を制御することによりカメラとして機能する第１のモードに切り替え、該第１のモード中にカメラ操作部材が所定時間操作されない時及び／又は前記歩行検知手段からの歩行検知信号に基づいて歩行状態が判別された時に、電源の供給を制御することにより前記歩数計のみが動作可能な第２のモードに切り替えるモード切替手段を備えたことを特徴とする。これにより、ユーザーの使用意図を的確に反映してモードが切り替わり、違和感のない操作性を実現でき、またカメラの消費電力の低減を図ることができる。
【０００６】
請求項２に係る発明は、請求項１の歩数計付きカメラにおいて、前記計数手段によって計数された累計歩数をカメラの記録媒体に記録する記録手段を更に備えたことを特徴とする。即ち、カメラは撮影画像や撮影日時等を記録する機能をもっているが、その記録機能によって累計歩数等の歩数計データも記録できるようにしている。
前記記録手段は、本願請求項３に示すように撮影時に撮影画像とともに前記計数手段によって計数された累計歩数を記録媒体に記録する。また、前記記録手段は、本願請求項４に示すように少なくとも撮影時の時間を含む時間と前記累計歩数とをリンクして前記記録媒体に記録する。また、請求項５に係る発明は、請求項１乃至４記載の歩数計付きカメラにおいて、前記計数手段によって計数された累計歩数に基づいてグラフを作成するグラフ作成手段を更に備え、前記表示手段は、前記グラフ作成手段によって作成されたグラフを表示することを特徴とする。このように撮影画像とリンクして累計歩数を記録することにより、例えば登山などの記録に非常に便利である。また、累計歩数と時間とから累計歩数をグラフ化することも可能であり、カメラマンの仕事量を知ることができる。
【０００７】
本願請求項６に係る発明は、請求項１乃至５のいずれかに記載の歩数計付きカメラにおいて、前記歩行検知手段とカメラの縦横検知手段とを共用することを特徴としている。
【０００８】
本願請求項７に係る発明は、請求項１乃至５のいずれかに記載の歩数計付きカメラにおいて、前記歩行検知手段とカメラの手振れ検知手段とを共用することを特徴としている。
【０００９】
即ち、本願請求項６及び７に係る発明は、歩数計とカメラに共通する検知手段を共用し、コストの低減を図っている。
【００１０】
また、本願請求項８に示すように前記累計歩数を表示する表示手段とカメラの状態を表示する表示手段とを共用し、更に本願請求項９に示すように前記モード切替手段によって切り替えられるモードに応じて前記表示手段における表示内容を切り替えることを特徴としている。更に、前記記録媒体は、本願請求項１０に示すようにメモリカード又は写真フイルムである。
【００１１】
【発明の実施の形態】
以下添付図面に従って本発明に係る歩数計付きカメラの好ましい実施の形態について詳説する。
図１は本発明に係る歩数計付きカメラの実施の形態を示すブロックである。同図に示す歩数計付きカメラは、歩数計機能を備え、撮像手段によって得た画像信号及び歩数計によって得た累計歩数等の歩数計データをメモリカード２８に記録することができる電子カメラである。
【００１２】
この歩数計付きカメラは、主としてカメラ専用部分と、歩数計専用部分と、カメラ及び歩数計に共通する部分とから構成されている。
カメラ専用部分は、主として撮影レンズ１０、絞り１２、固体撮像素子（ＣＣＤ）１４、アナログ信号処理回路１６、デジタル信号処理回路２０、メモリ（ＤＲＡＭ）２２、圧縮解凍回路２６、メモリカード２８、液晶モニタ３２、操作スイッチ部５０中のレリーズスイッチ等のカメラ操作に関連するスイッチ、及び図示しないカメラ用電池等を有し、歩数計専用部分は、歩数計用電池４２、操作スイッチ部５０中の累計歩数のリセットスイッチ等を有している。
【００１３】
また、カメラ及び歩数計に共通する部分は、中央処理装置（ＣＰＵ）４０、表示部４６、及び振動検知部４８等を有している。即ち、ＣＰＵ４０は、カメラの各回路を統括・制御するとともに、歩数を計数するカウンタ回路を有している。表示部４６は、例えば液晶表示パネルからなり、後述するカメラモード時には撮影可能コマ数／再生コマ番号、カメラ電池の残量等を表示し、歩数計モード時には累計歩数、消費カロリー等の歩数計データを表示する。
【００１４】
振動検知部４８は、歩行動作に関連して歩行検知信号を発生するもので、カメラの縦横検知手段又はカメラの手振れ検知手段が兼ねている。ここで、カメラの縦横検知手段は、カメラを構えたときの姿勢（縦位置又は横位置）を検知するもので、この検知された縦位置又は横位置は、撮影日時の写し込み位置を決めるための情報として利用される。また、カメラの手振れ検知手段は、手振れを相殺するようにカメラの光学部材等を移動させる手振れ補正装置に使用されるもので、角速度センサ等からなる。尚、手振れ補正装置は、この電子カメラから動画を示す画像信号を外部出力する場合に有効である。
【００１５】
さて、操作スイッチ部５０中のレリーズスイッチが押されると、ＣＰＵ４０がこれを検知し、コントロール回路３４にコマンドを送る。コントロール回路３４は、撮影レンズ駆動部３６を介してフォーカス制御を行うとともに、絞り１２やＣＣＤ１４での電荷蓄積時間を制御することにより露出制御を行う。尚、ズームスイッチ等の操作により、撮影レンズ１０をズーム駆動することができるようになっている。
【００１６】
撮影レンズ１０及び絞り１２を介してＣＣＤ１４の受光面に入射した被写体光は、ここでＣＣＤ１４の各センサに入射する光量に応じた量の信号電荷に変換され、この信号電荷は、クロックパルスに基づいて信号電荷に応じた電圧信号（画像信号）として順次読み出される。ＣＣＤ１４から出力された画像信号は、アナログ信号処理回路１６に加えられる。アナログ信号処理回路１６は、ＣＤＳクランプ、ゲインコントロールアンプ等を有しており、ここで画像信号のサンプリングやホワイトバランス調整等が行われる。このアナログ信号処理回路１６で処理された画像信号は、Ａ／Ｄコンバータ１８でＲ、Ｇ、Ｂのデジタル信号に変換されてデジタル信号処理回路２０に加えられる。
【００１７】
デジタル信号処理回路２０は、ガンマ補正回路、ＹＣ信号作成回路等を含み、前記Ｒ，Ｇ，Ｂのデジタル信号のガンマ補正、Ｒ、Ｇ、Ｂ信号のＹＣ信号（輝度信号Ｙとクロマ信号Ｃ）への変換等の処理を行い、ＹＣ信号をメモリ２２に格納する。メモリ２２に格納されたＹＣ信号は、圧縮解凍回路２６によって所定の形式に圧縮され、カメラに着脱自在なメモリカード２８に記録される。
【００１８】
尚、ＬＣＤコントローラ３０は、撮影時にはメモリ２２から入力するＹＣ信号に基づいてＲ、Ｇ、Ｂ信号及び液晶表示に必要なパルスを生成してＬＣＤパネル３２に出力し、ＬＣＤパネル３２に画像を表示させ、また再生時にはメモリカード２８から読み出され圧縮解凍回路２６によって解凍されたＹＣ信号に基づいてＬＣＤパネル３２に再生画像を表示させる。また、上記ＹＣ信号は、Ｄ／Ａコンバータ２４によってアナログ信号に変換され、更に図示しないエンコーダによって所定の映像信号に変換されてビデオ出力端子よりテレビ等の外部機器に出力される。
【００１９】
一方、ＣＰＵ４０は、振動検知部４８から入力する歩行動作に関連した信号（歩行検知信号）を内部のカウンタによって計数し、その累計歩数や累計歩数に応じた消費カロリーを示す歩数計データを表示部４６に出力したり、また、撮影時にはその歩数計データの記録等を行わせる。尚、この詳細については後述する。
次に、上記構成の歩数計付きカメラの動作について図２に示すフローチャートを参照しながら説明する。
【００２０】
まず、ＣＰＵ４０は、操作スイッチ部５０において、カメラ操作スイッチが操作（ＯＮ）されたか否かを判別する（ステップＳ１０）。カメラ操作スイッチとしては、例えばレリーズスイッチが半押し時にＯＮされる半押しスイッチＳ１、全押し時にＯＮされる全押しスイッチＳ２、カメラ電源スイッチ、ズームスイッチ、撮影、再生などのモードを選択するモードダイヤル等が考えられる。
【００２１】
ここで、カメラ操作スイッチがＯＮされていない場合には、歩数計モードとなり、表示部４６は累計歩数、消費カロリー等の歩数計データを表示するように表示切替えが行われる（ステップＳ１２）。また、この歩数計モード時には、図１の一点鎖線で示す部分のみに歩数計用電池４２から電源が供給されるようになっている。
【００２２】
一方、カメラ操作スイッチがＯＮされると、カメラモードとなり、ＣＰＵ４０は電源コントロール回路４４にコマンドを送り、カメラ電源をＯＮにする（ステップＳ１４）。即ち、カメラ用電池（図示せず）から電源コントロール回路４４を介してカメラの各部に電源を供給し、各回路を動作可能にする。尚、この歩数計付きカメラは、カメラが所定時間操作されないときに自動的に電源をＯＦＦにするオートパワーオフ機能を有しており、上記カメラ電源のＯＮ時にオートパワーオフするか否かを判断するためのタイマをリセットする（ステップＳ１６）。また、カメラ電源がＯＮとなっているカメラモード時には、表示部４６は撮影可能コマ数／再生コマ番号、カメラ電池の残量等のカメラデータを表示するように表示切替えが行われる（ステップＳ１８）。
【００２３】
続いて、レリーズスイッチの半押しスイッチＳ１、全押しスイッチＳ２がＯＮされたか否かを判別し（ステップＳ２０、Ｓ２２）、これらのスイッチＳ１、Ｓ２がＯＮされると、撮影処理が行われ、その撮影によって取得した画像データ等のメモリカード２８への記録処理が行われる（ステップＳ２４、Ｓ２６）。
ここで、ＣＰＵ４０は、歩数計モード又はカメラモードにかかわらず歩数計データを有しており、画像データのメモリカード２８への記録時には歩数計データも同時に記録させる。尚、歩数計データは、主画像データ内もしくは画像データのサブ情報エリア内に記録することにより、撮影画像と歩数計データをリンクさせることが可能である。また、図１に示す時計部５２より撮影日時を示すデート情報を取り込み、このデート情報も撮影画像にリンクしてメモリカード２８に記録させることができることは言うまでもない。
【００２４】
このように歩数計データを電子カメラのフォーマットで記録することにより、歩数計データの表示、印刷及び保存が容易であり、また、歩数計データをビジュアル的に表示することが可能であることからユーザーにとっても使いやすい装置となる。
特に撮影画像と歩数計データとがリンクされて記録されるため、登山などで使用する場合に非常に有効である。例えば、登山開始時に累計歩数をリセットすることにより、その後の撮影ごとに累計歩数を撮影画像とリンクして記録することができる。図３は撮影画像とともに累計歩数を印刷又は再生した場合の一例を示す。
【００２５】
このようにして画像データ等の記録が終了すると、タイマをリセットしたのち（ステップＳ２８）、ステップＳ２０に戻り、次の撮影に備える。
一方、ステップＳ２０、Ｓ２２において、スイッチＳ１、Ｓ２がＯＮされない場合には、他のカメラ操作スイッチ（例えば、撮影時のズームスイッチや、再生時のコマ送りキー等）が操作されたか否かを判別し（ステップＳ３０）、カメラ操作スイッチが操作された場合には、タイマをリセットしたのち（ステップＳ３２）、ステップＳ２０に戻る。カメラ操作スイッチが操作されていない場合には、タイマでの計測時間が所定時間（例えば、２分）経過したか否かを判別し（ステップＳ３４）、所定時間経過していない場合にはステップＳ２０に戻り、所定時間経過した場合には、カメラ電源をＯＦＦにしたのち（ステップＳ３６）、ステップＳ１０に戻る。尚、この場合には、カメラ操作スイッチが操作されていないため、歩数計モードとなる。
【００２６】
このように、ユーザーの使用意図を的確に反映して歩数計モードとカメラモードが自動的に切り替わり、違和感のない操作性を実現することができ、また歩数計モードではカメラ電源をＯＦＦにしているためカメラの消費電力の低減を図ることができる。
また、上記実施の形態では、オートパワーオフ機能によりカメラモードから歩数計モードに切り替わるようにしたが、これに限らず、カメラモード時に歩行動作に関連して歩数計データが変化した場合（例えば、カメラモード中に所定数以上の歩数を計数した場合、一定周期で累計歩数が連続的に変化した場合など）に、直ちにカメラ電源をＯＦＦにして歩数計モードに切り替えるようにしてもよい。更に、所定時間以上カメラ操作がなく、かつ歩数計データが変化した場合にカメラ電源をＯＦＦにして歩数計モードに切り替えるようにしてもよい。
【００２７】
次に、歩数計データの他の記録方法について説明する。
即ち、歩数計データを所定の時間経過ごとにカメラの記録機能を使用して記録する。この場合、ＣＰＵ４０は、時計部５２からの計時データに基づき所定時間経過するごとに歩数計データを記録するためにカメラ電源をＯＮにし、歩数計データ及び時刻をメモリカード２８に記録すると、カメラ電源をＯＦＦにする。これを繰り返すことにより、１日の歩数計データを記録することができる。また、前述したように撮影が行われた時も歩数計データを記録する。
【００２８】
そして、歩数計データを表示又は印刷する場合には、所定のプログラムによりメモリカード２８に記録された歩数計データに基づいてグラフを作成し、そのグラフを液晶モニタ３２に表示し、またはプリンタに出力して印刷する。
図４は歩数計データのグラフ表示の一例を示している。このグラフは、累計歩数を時間をパラメータにして表した折れ線グラフである。また、図４中の番号は、各撮影時点におけるコマ番号を示している。
【００２９】
このように歩数計データを逐次記録することにより、カメラマンの１日の仕事量（歩行量）等を把握することができる。
尚、本発明に係る歩数計付きカメラは、上記各実施の形態を適宜組み合わせて構成してよい。また、歩数計付きカメラは電子カメラに限らず、銀塩カメラにも適用できる。銀塩カメラの場合には、写真フイルムの撮影コマに関連して歩数計データを光学的に又は写真フイルム上の磁気記録層に磁気的に記録したり、銀塩カメラに着脱自在のメモリカード等に記録してもよい。
【００３０】
【発明の効果】
以上説明したように本発明に係る歩数計付きカメラによれば、歩数計機能をカメラに内蔵したため、両者の機能を結び付けて累計歩数等の歩数計データを記録することができる。即ち、カメラは撮影画像や撮影日時等を記録する機能をもっているが、その記録機能によって累計歩数等の歩数計データも容易に記録することができる。特に、撮影画像とリンクして累計歩数を記録することにより、例えば登山などの記録に非常に便利であり、また累計歩数と時間とから累計歩数をグラフ化することも可能であり、カメラマンの仕事量を知ることができる。
【００３１】
更に、本発明に係る歩数計付きカメラによれば、両者に共通するセンサや表示器等を共用することができ、コストの低減を図ることができる。
また、ユーザーの使用意図を的確に反映して歩数計モードとカメラモードとを切り替えることができ、違和感のない操作性を実現することができ、更に歩数計モード時には自動的にカメラ電源をＯＦＦにすることによりカメラの消費電力の低減を図ることができる。
【図面の簡単な説明】
【図１】  本発明に係る歩数計付きカメラの実施の形態を示すブロック図
【図２】  図１に示した歩数計付きカメラの動作を説明するために用いたフローチャート
【図３】  撮影画像とともに累計歩数を印刷又は再生した場合の一例を示す図
【図４】  歩数計データのグラフ表示の一例を示す図
【符号の説明】
１０…撮影レンズ
１４…固体撮像素子（ＣＣＤ）
１６…アナログ信号処理回路
２０…デジタル信号処理回路
２６…圧縮解凍回路
２８…メモリカード
４０…中央処理装置（ＣＰＵ）
４２…電池
４４…電源コントロール回路
４６…表示部
４８…振動検知部
５０…操作スイッチ部
５２…時計部
【図１】
0004003316.tif 000002
【図２】
0004003316.tif 000003
【図３】
0004003316.tif 000004
【図４】
0004003316.tif 000005